(57)【要約】【課題】  副映像表示有効時に補間フレーム生成時の誤補間を防ぐ映像再生技術を提供する。【解決手段】  光ディスクドライブと、前記光ディスクドライブからの主映像データを復号し外部へ主映像データ復号信号として出力する主映像データ復号部と、前記光ディスクドライブからの副映像データを復号し外部へ副映像データ復号信号として出力する副映像データ復号部とを備えたことを特徴とする光ディスク再生装置。  また外部からの主映像データ復号信号を入力し補間フレーム生成結果の映像を出力する主映像信号処理部と、外部からの副映像データ復号信号を入力し補間フレーム生成結果の映像を出力する副映像信号処理部と、前記主映像信号処理部の出力と前記副映像信号処理部の出力とから合成映像を作成し出力する映像合成部とを備えたことを特徴とする映像表示装置。【選択図】      図３
2009303039.tif 000002
【特許請求の範囲】
【請求項１】
光ディスクドライブと、
前記光ディスクドライブからの主映像データを復号し外部へ主映像データ復号信号として出力する主映像データ復号部と、
前記光ディスクドライブからの副映像データを復号し外部へ副映像データ復号信号として出力する副映像データ復号部とを
備えたことを特徴とする光ディスク再生装置。
【請求項２】
外部からの主映像データ復号信号を入力し補間フレーム生成結果の映像を出力する主映像信号処理部と、
外部からの副映像データ復号信号を入力し補間フレーム生成結果の映像を出力する副映像信号処理部と、
前記主映像信号処理部の出力と前記副映像信号処理部の出力とから合成映像を作成し出力する映像合成部とを
備えたことを特徴とする映像表示装置。
【請求項３】
請求項１に記載の光ディスク再生装置と請求項２に記載の映像表示装置から成る映像再生システム。
【請求項４】
光ディスクドライブを備え、
前記光ディスクドライブからの主映像と副映像との復号前信号を外部へ出力する光ディスクトランスポート装置。
【請求項５】
外部からの光ディスク主映像と副映像との復号前信号を受け主映像データを復号して信号出力する主映像データ復号部と、
前記復号前信号からの副映像データを復号して信号出力する副映像データ復号部と、
前記主映像データ復号信号を入力し補間フレーム生成結果の映像を出力する主映像信号処理部と、
前記副映像データ復号信号を入力し補間フレーム生成結果の映像を出力する副映像信号処理部と、
前記主映像信号処理部の出力と前記副映像信号処理部の出力とから合成映像を作成し出力する映像合成部とを
備えたことを特徴とする映像表示装置。
【請求項６】
請求項４に記載の光ディスクトランスポート装置と請求項５に記載の映像表示装置から成る映像再生システム。
【請求項７】
光ディスクドライブと、
前記光ディスクドライブからの主映像データを復号し主映像データ復号信号として出力する主映像データ復号部と、
前記光ディスクドライブからの副映像データを復号し副映像データ復号信号として出力する副映像データ復号部と、
前記主映像データ復号信号を入力し補間フレーム生成結果の映像を出力する主映像信号処理部と、
前記副映像データ復号信号を入力し補間フレーム生成結果の映像を出力する副映像信号処理部と、
前記主映像信号処理部の出力と前記副映像信号処理部の出力とから合成映像を作成し出力する映像合成部とを
備えたことを特徴とする光ディスク再生装置。
【請求項８】
請求項７に記載の光ディスク再生装置と映像表示部を有する映像表示装置から成る映像再生システム。
【発明の詳細な説明】
【技術分野】
【０００１】
本発明は、字幕等表示有効時に補間フレーム生成時の誤補間を防ぐ映像再生システムに関する。
【背景技術】
【０００２】
フラットパネルTVに占めるLCD（Ｌｉｑｕｉｄ  Ｃｒｙｓｔａｌ  Ｄｉｓｐｌａｙ：液晶表示装置）の割合は年々増加しつつあり，2010年には世界のカラーTV台数の半数を占めると見られている。そしてLCDの大画面・高精細化が進むにつれて，動画でのぼけが課題として指摘されている。
【０００３】
液晶TVの動画鮮明度を向上する試みは，液晶材料の応答性を画像処理だけで改善するLAOから，画像適応のバックライト制御方式あるいは120Hz倍速駆動とフレーム補間技術へと展開した。すなわち，ソフトウェア処理に加え，表示デバイスに改良を加えるハードウェア処理が開発されてきた。現在のハイエンド液晶TVでは120Hz倍速駆動が主流となっており，フレーム補間技術の精度が画質を決める重要なファクタとなっている。
【０００４】
ところで先行技術で字幕表示を有効にして例えばDVD等の光ディスクを再生する場合、別々に記録されている映像データ(主映像)と字幕データ(副映像/サブピクチャー)を再生装置内で合成した後に、テレビ内で補間フレーム映像生成処理が行われる。このため、字幕表示に起因する補間フレーム生成時の誤補間を防ぐことが出来ず、字幕の文字化けが発生したり字幕の背景映像がちらつくなどといった問題点がある。
【０００５】
関連して非特許文献１においては、字幕表示を有効にしてDVD/HD DVD/BD等の光ディスクを再生する場合、別々に記録されている映像データ(主映像)と字幕データ(副映像/サブピクチャー)を再生装置内で合成した後に、テレビ内で補間フレーム映像生成処理が行われる。このため、字幕表示に起因する補間フレーム生成時の誤補間を防ぐことが出来ず、字幕の文字化けが発生したり字幕の背景映像がちらつくなどといった問題点がある。
【非特許文献１】東芝レビュー 2007年8月号 P.26-30 「液晶テレビの動画高画質化技術-ソフトウェア処理からハードウェア処理へ」
【発明の開示】
【発明が解決しようとする課題】
【０００６】
本発明は、副映像表示有効時に補間フレーム生成時の誤補間を防ぐ映像再生技術を提供することを目的とする。
【課題を解決するための手段】
【０００７】
上記課題を解決するために、本発明の映像再生システムは、光ディスクドライブと、前記光ディスクドライブからの主映像データを復号し外部へ主映像データ復号信号として出力する主映像データ復号部と、前記光ディスクドライブからの副映像データを復号し外部へ副映像データ復号信号として出力する副映像データ復号部とを備えたことを特徴とする光ディスク再生装置と、また外部からの主映像データ復号信号を入力し補間フレーム生成結果の映像を出力する主映像信号処理部と、外部からの副映像データ復号信号を入力し補間フレーム生成結果の映像を出力する副映像信号処理部と、前記主映像信号処理部の出力と前記副映像信号処理部の出力とから合成映像を作成し出力する映像合成部とを備えたことを特徴とする映像表示装置とを具備することを特徴とする。
【発明の効果】
【０００８】
本発明によれば、副映像表示有効時に補間フレーム生成時の誤補間を防ぐ映像再生技術が得られる。
【発明を実施するための最良の形態】
【０００９】
以下、本発明の実施形態を説明する。
【実施例１】
【００１０】
本発明による実施形態１を図１乃至図４を参照して説明する。まず映像再生システムの一形態を一般的に説明する。図１は、この実施形態で説明する技術を適用したデジタルテレビジョン放送受信装置１１１の外観と、このデジタルテレビジョン放送受信装置１１１を中心として構成されるネットワークシステムの一例を概略的に示している。
【００１１】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えば液晶表示パネル等でなる平面パネル型の映像表示器１１４、スピーカ１１５、操作部１１６、リモートコントローラ１１７から送信される操作情報を受ける受光部１１８等が設置されている。
【００１２】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１３】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１４】
このうち、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、ＰＣ（Personal Computer）１２８、ＨＤＤ内蔵のＤＶＤ（Digital Versatile Disk）レコーダ１２９等の機器を接続し、これらの機器と情報伝送を行なうために使用される。
【００１５】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００１６】
さらに、この第２のＬＡＮ端子１２２は、ハブ１２６に接続されたブロードバンドルータ１３１を介して、例えばインターネット等のネットワーク１３２に接続し、このネットワーク１３２を介してＰＣ１３３や携帯電話１３４等と情報伝送を行なうために使用される。
【００１７】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００１８】
さらに、上記ｉ．ＬＩＮＫ端子１２４は、例えばＡＶ−ＨＤＤ１４１、Ｄ（Digital）
−ＶＨＳ（Video Home System）１４２等をシリアル接続し、これらの機器と情報伝送を行なうために使用される。
図２は、上記したデジタルテレビジョン放送受信装置１１１の主要な信号処理系を示している。すなわち、ＢＳ／ＣＳデジタル放送受信用のアンテナ２４３で受信した衛星デジタルテレビジョン放送信号は、入力端子２４４を介して衛星デジタル放送用のチューナ２４５に供給されることにより、所望のチャンネルの放送信号が選局される。
【００１９】
そして、このチューナ２４５で選局された放送信号は、ＰＳＫ（Phase Shift Keying）
復調器２４６に供給されて、デジタルの映像信号及び音声信号に復調された後、信号処理部２４７に出力される。
また、地上波放送受信用のアンテナ２４８で受信した地上デジタルテレビジョン放送信号は、入力端子２４９を介して地上デジタル放送用のチューナ２５０に供給されることにより、所望のチャンネルの放送信号が選局される。
【００２０】
そして、このチューナ２５０で選局された放送信号は、例えば日本ではＯＦＤＭ（Orthogonal Frequency Division Multiplexing）復調器２５１に供給されて、デジタルの映像信号及び音声信号に復調された後、上記信号処理部２４７に出力される。
【００２１】
また、上記地上波放送受信用のアンテナ２４８で受信した地上アナログテレビジョン放送信号は、入力端子２４９を介して地上アナログ放送用のチューナ２５２に供給されることにより、所望のチャンネルの放送信号が選局される。そして、このチューナ２５２で選局された放送信号は、アナログ復調器２５３に供給されてアナログの映像信号及び音声信号に復調された後、上記信号処理部２４７に出力される。
【００２２】
ここで、上記信号処理部２４７は、ＰＳＫ復調器２４６及びＯＦＤＭ復調器２５１からそれぞれ供給されたデジタルの映像信号及び音声信号に対して、選択的に所定のデジタル信号処理を施し、グラフィック処理部２５４及び音声処理部２５５に出力している。
【００２３】
また、上記信号処理部２４７には、複数（図示の場合は４つ）の入力端子２５６ａ，２５６ｂ，２５６ｃ，２５６ｄが接続されている。これら入力端子２５６ａ〜２５６ｄは、それぞれ、アナログの映像信号及び音声信号を、デジタルテレビジョン放送受信装置１１１の外部から入力可能とするものである。
【００２４】
信号処理部２４７は、上記アナログ復調器２５３及び各入力端子２５６ａ〜２５６ｄからそれぞれ供給されたアナログの映像信号及び音声信号を選択的にデジタル化し、このデジタル化された映像信号及び音声信号に対して所定のデジタル信号処理を施した後、グラフィック処理部２５４及び音声処理部２５５に出力する。
【００２５】
グラフィック処理部２５４は、信号処理部２４７から供給されるデジタルの映像信号に、ＯＳＤ（On Screen Display）信号生成部２５７で生成されるＯＳＤ信号を重畳して出力する機能を有する。このグラフィック処理部２５４は、信号処理部２４７の出力映像信号と、ＯＳＤ信号生成部２５７の出力ＯＳＤ信号とを選択的に出力すること、また、両出力をそれぞれ画面の半分を構成するように組み合わせて出力することができる。
【００２６】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００２７】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００２８】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を前記受光部１１８を介して受信し、その操作内容が反映されるように各部をそれぞれ制御している。
【００２９】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００３０】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送を行なうことができる。
【００３１】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送を行なうことができる。
【００３２】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送を行なうことができる。
【００３３】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送を行なうことができる。
【００３４】
従来、映像信号処理部内に補間フレーム生成回路を有するテレビと、光ディスクドライブから出力される映像データを復号する映像データ復号部と字幕データを復号する映像データ復号部、映像と字幕を合成する映像合成部を有する光ディスク再生装置から構成される先行技術による映像再生システムでの補間フレーム生成が行われていた。
【００３５】
なお上記構成では例えば映像処理部２５８において補間フレーム生成が行われる。内部の図示せぬ映像データ処理部には、Ｉ／Ｐ変換回路や動特性改善回路などを備える画質改善回路が設けられている。画質改善回路は、番組内の映像シーンにおける動きの速度の大小、また例えばＨＤ（High Definition）映像やＳＤ（Standard Definition）映像といった放送波の解像度の違い、映像ソースの種類による画像フレーム数の違いなどに応じた映像データの高画質化処理の選択的な設定を可能とする。
【００３６】
すなわち、画質改善回路が有するＩ／Ｐ変換回路は、インタレース／プログレッシブ変換を実現するための処理部であって、偶数及び奇数フィールドにそれぞれ相当するインタレース信号どうしを合成してプログレッシブな映像信号としてのフレームを生成する。ここで、本実施形態のＩ／Ｐ変換回路は、例えば２倍の情報量を持つプログレッシブ映像への変換を行うことが可能であり、実質的に生成されるフレームの数を増加させ高画質化処理を行う。詳細には、Ｉ／Ｐ変換回路は、プログレッシブ変換時に得られるフレームと同一のフレームをコピーして生成したり、また、前後のフレームの関係からその中間の過渡的な動画像に相当するフレームを予測して新たに生成することで、動きの速い映像シーンに対しても一定以上の映像品質を確保することができる。
【００３７】
つまり、Ｉ／Ｐ変換回路は、映像シーンにおける動きの速度の大小に応じて、例えば、通常品質処理、中品質処理、高品質処理などを適宜設定することが可能である。Ｉ／Ｐ変換回路は、動きの速い映像シーンに対応させるために高品質処理が設定された場合、Ｉ／Ｐ変換時に生成されるフレームの数を２倍とし、中間の速さの映像シーンに対応させるために中品質処理が設定された場合、生成するフレームの数を１．５倍とし、動きの遅い映像シーンのための通常品質処理が設定された場合、生成するフレームの数を増加させない（１倍）とする処理を行う。
【００３８】
動特性改善回路は、Ｉ／Ｐ変換回路と協働して動作し、このＩ／Ｐ変換回路によるＩ／Ｐ変換の際に例えば、動き検出を行い、プログレッシブ変換される画像に補正を加える。具体的には、動特性改善回路は、動きの速い映像シーンに対応させるために高品質処理が設定された場合、処理対象のフレームの前後のフレームを参照した動き検出を行い、プログレッシブ変換される画像を補正する。また、動特性改善回路は、中間の速さの映像シーンに対応させるために中品質処理が設定された場合、例えば、同一フレームの偶数、奇数フィールド間で、動き検出を行い画像を補正する。さらにまた、動特性改善回路は、動きの遅い映像シーンのための通常品質処理が設定された場合、このような動き検出を伴わないプログレッシブ変換を実行させる。
【００３９】
従来に対して図３に本実施形態による映像再生システム構成の概略ブロック図を示す。
映像信号処理部１１内に補間フレーム生成回路１２、字幕信号処理部１４内に補間フレーム生成回路１５、補間フレーム生成後の映像と字幕を合成する映像合成部１６を有するテレビ１と、光ディスクドライブ２１から出力される映像データを復号する映像データ復号部２２と字幕データを復号する字幕データ復号部２３を有する光ディスク再生装置２から構成される。
【００４０】
映像信号と字幕信号は別々に光ディスク再生装置２からテレビ１へと転送される。
(例）HDMI + HDMI, HDMI + D端子ケーブル, HDMI + Ethernet（Ｒ）, HDMI + USB, HDMI + i .LINK 等
【００４１】
図４は本形態による映像再生システムにおける補間フレーム生成の例を示す。（ａ）は主映像における元映像の補間の様子を表している。（ｂ）は副映像における字幕データ映像の補間の様子を表している。（ｃ）は主映像と副映像の合成の様子を表している。
【００４２】
さて先行技術による映像再生システムで字幕表示を有効にしてDVD等の光ディスクを再生する場合、光ディスク内に別々に記録されている映像データ(主映像)と字幕データ(副映像/サブピクチャー)が光ディスク再生装置の内部にある映像合成部で合成された後に、テレビ内の補間フレーム生成回路で補間フレーム生成処理が行われる。即ち映像と字幕が合成された後で補間フレーム生成処理が行われるため、以下の問題が発生する。
【００４３】
-             映像と字幕の合成時に字幕と重なった箇所の映像が欠落してしまうため、字幕背景の映像を正しく補間できない
-             映像と字幕の動きベクトルが異なる場合、映像にあわせると字幕が正しく補間できず、字幕にあわせると映像を正しく補間できない
このため、字幕表示に起因する補間フレーム生成時の誤補間を防ぐことが出来ず、字幕の文字化けが発生したり字幕の背景映像がちらつくなどといった現象が生じる。
【００４４】
他方、図３に示した本実施形態の映像再生システムで字幕表示を有効にした場合、光ディスク内に別々に記録されている映像データと字幕データを個別に補間フレーム生成処理してから映像合成部１６で合成する。本実施形態により、上に挙げたような字幕表示に起因する補間フレーム生成時の誤補間を防ぐことが出来、字幕の文字化けや字幕の背景映像のちらつきのない映像を表示することが可能である。
【実施例２】
【００４５】
本発明による実施形態２を図１乃至図２及び図４、図５を参照して説明する。実施形態１と共通する部分は説明を省略する。
図５に実施形態１の変形例である実施形態２の光ディスク再生装置の概略ブロック図を示す。光ディスク再生装置２は光ディスクドライブ２１から出力される映像データを復号する映像データ復号部２２と字幕データを復号する字幕データ復号部２３、映像信号処理部２５内に補間フレーム生成回路２６、字幕信号処理部２７内に補間フレーム生成回路２８、補間フレーム生成後の映像と字幕を合成する映像合成部２４から構成される。
【００４６】
実施形態１とは、映像信号と字幕信号の補間フレーム生成を光ディスク再生装置２内で行う点で異なるが、同等の効果を得ることが可能である。テレビ１と光ディスク再生装置２の間の転送経路は、実施形態１の2系統から1系統になる。
【００４７】
テレビ１の表示パネルの駆動周波数と光ディスク再生装置２が出力する映像信号の周波数が同じ場合は、有効性が高い。
【実施例３】
【００４８】
本発明による実施形態３を図１乃至図２及び図４、図６を参照して説明する。実施形態１、２と共通する部分は説明を省略する。
図６に実施形態１の変形例である実施形態３の映像再生システムの概略ブロック図を示す。光ディスクドライブ３１の出力データを復号せずに転送する光ディスクトランスポート装置３と、映像データを復号する映像データ復号部１７、字幕データを復号する字幕データ復号部１８、映像信号処理部１１内に補間フレーム生成回路１２、字幕信号処理部１３内に補間フレーム生成回路１４、補間フレーム生成後の映像と字幕を合成する映像合成部１６を有するテレビ１から構成される。
【００４９】
実施形態１とは、映像データ復号と字幕データ復号をテレビ１内で行う点で異なるが、同等の効果を得ることが可能である。テレビ１と光ディスクトランスポート装置３の間の転送経路は、実施形態１の2系統から1系統になる。
【００５０】
テレビ１の表示パネルの駆動周波数と光ディスクトランスポート装置３が出力する映像信号の周波数が異なっていても、有効性が高い。例えばテレビ内の表示パネルが180Hz 駆動で、再生装置の出力映像が 120Hz の場合である。
【００５１】
以上概要として光ディスクの映像再生において、別々に記録されている映像データと字幕データのそれぞれに対して、個別に補間フレーム生成処理を行った後に合成する映像再生システムを説明した。
【００５２】
効果としてこれらの実施形態により、字幕表示に起因する補間フレーム生成時の誤補間を防ぐことが可能となった。これら映像再生システムでは、別々に記録されている映像データと字幕データを個別に処理してから合成するので、字幕表示に起因する補間フレーム生成時の誤補間を防ぐことが出来、字幕の文字化けや字幕の背景映像のちらつきのない映像を表示することが可能である。
【００５３】
なお、この発明は上記実施形態に限定されるものではなく、この外その要旨を逸脱しない範囲で種々変形して実施することができる。本発明が適用可能な応用例として、以下のようなものが挙げられる。
【００５４】
-             テレビと光ディスク再生装置の一体型の機器
-             光ディスクに限らず、映像と字幕が別のデータに別れていて表示時に合成する場合
-                           ネットワーク配信：映像データと字幕データが別々に配信される場合
-                           放送波：字幕対応番組
-             映像と字幕の組み合わせに限らず、映像と映像を表示時に合成する場合
-                           映像＋メニュー, 映像＋ポップアップメニュー
-                           ピクチャー・イン・ピクチャー (Ｐ in Ｐ)
-                           ダブルウィンドウ
-             映像処理をハードウェアではなくソフトウェアで行う場合
-             補間フレーム生成以外の映像処理
-                           リアルタイム超解像度処理
(例) 映像のみ超解像度処理を行い、(超解像度処理を行っていない)字幕と合成し表示
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５５】
【図１】この発明の一実施形態に関連するテレビジョン受信装置の外観と、このテレビジョン受信装置を中心として構成されるネットワークシステムを説明するための図。
【図２】同実施形態のテレビジョン受信装置の主要な信号処理系を示す図。
【図３】同実施形態による映像再生システム構成の概略ブロック図。
【図４】同実施形態の映像再生システムにおける補間フレーム生成例。
【図５】実施形態２に用いられる概略ブロック図。
【図６】実施形態３に用いられる概略ブロック図。
【符号の説明】
【００５６】
１１…映像信号処理部、１２…補間フレーム生成回路、１４…字幕信号処理部、１５…補間フレーム生成回路、１６…映像合成部、１７…映像データ復号部、１８…字幕データ復号部、２１…光ディスクドライブ、２２…映像データ復号部、２３…字幕データ復号部、２４…映像合成部、２５…映像信号処理部、２６…補間フレーム生成回路、２７…字幕信号処理部、２８…補間フレーム生成回路、３１…光ディスクドライブ。
【図１】
2009303039.tif 000003
【図２】
2009303039.tif 000004
【図３】
2009303039.tif 000005
【図４】
2009303039.tif 000006
【図５】
2009303039.tif 000007
【図６】
2009303039.tif 000008